(57)【特許請求の範囲】
【請求項１】
所定の広角で山型の天秤仕掛けを構成する鋼線を、静止時は錘荷重に耐え得る剛性を有し、合わせ負荷時は一時的変形を成し得る範囲の弾性を有する弾性鋼線とし、ストッパーＣと針フックＡ２とを備えた天秤アームＡを両椀とする天秤仕掛けにおいて、最下部に錘連結用の輪を成し両先端にコイル状の接続用可動リングＢ２を備えた、Ｖ字形状の弾性鋼線からなるＶ字アンカーアームＢを、可動リングＢ２によって両天秤アームＡに可動自在に連結し吊り下げたことを特徴とする可動天秤仕掛け。
【請求項２】
所定の広角を有する弾性鋼線からなる山型天秤アームＡの静止時の形状を、山型最上部Ａ１より天秤両端部の針フックＡ２に向かって、上向きに反り上がる湾曲形状としたことを特徴とする請求項１に記載する可動天秤仕掛け。
【発明の詳細な説明】
【技術分野】
【０００１】
魚釣りの仕掛けに関する
【背景技術】
【０００２】
餌さ取り名魚とも言われる繊細で巧妙なカワハギ釣りにおいては、近海沿岸部に地付き生息するポピュラーな魚でありながら、専門に狙って釣るには難しい魚といわれて地域によって様々な釣法の工夫がなされており、特にその困難さに惹かれて愛好者の集いも多く、それと共に長年の経験や勘と技量とを有する自称名人も数多い。又、このカワハギの習性として、水中に停止した状態でホバーリングしながら餌だけを上手に採餌するが、動いている餌や海底に向かって下向きに採餌する場合は無警戒だといわれている。
【０００３】
難しいといわれるその釣果は、潮流や透明度等の海水状態によっても異なり、潮流がある場合は周囲の全てがその流れに乗って動いているため、餌の確保を優先してか警戒心が薄れて活性が高くなり、頻繁に仕掛けを動かすタタキ釣りや仕掛けを海底に弛ませて誘いを入れるタルマセ釣り等、向こう合わせや聞き合わせで針掛りする事も多く、活性条件によっては初心者でも結果釣りが楽しめる。
一方、潮が穏やかで特にカワハギの活性が鈍い場合は、そのわずかな状況によって誘い合わせのタイミングが異なり、餌取り名魚の本領発揮となって僅かな当りで餌だけを見事に取られ、悔しさとイライラが募り益々カワハギ釣りに没頭する事になる。
【０００４】
内海あるいは湾内の潮が穏やかな条件下で、従来の銅付きや天秤仕掛けを使用し、穏やかな潮流に見合う軽い錘と繊細な竿との組み合わせによって、カワハギのアタリに対する合わせ操作を行った場合、銅付き及び天秤仕掛けの欠点である枝スのダレ（合わせの瞬間に、針が取り残され下へ向かってお辞儀をする格好となる事）と、合わせ時に錘を同時に引き上げる荷重による穂先のダレとが相まって、手元の合わせ操作と針作動とに時間差が生じると共に緩慢な針移動となり、その針先の躊躇した動きと異常性を魚に感知されてしまう。
よって、食いが浅く巧妙で繊細なカワハギに相対する従来の仕掛けと釣り方は、穂先のダレが少ない固めの竿を使い錘も大きめの銅付き仕掛けが多く、必然的に大きな合わせを必要とする釣り方が主流とならざるを得なかった。図６参照
【発明の開示】
【発明が解決しようとする課題】
【０００５】
そこで、細い弾性鋼線を利用した専用両天秤仕掛けによって、カワハギの習性に対処した俊敏な合わせを可能とし、繊細な竿をつかって名人並みの釣果が容易に上がることを課題とする。
合わせ操作時に発生する錘負荷による仕掛け枝スや穂先のダレを伴わず、縦方向の合わせ操作に対して、針が針先方向の横へ瞬間移動する仕掛けとすることで、食いが渋く巧妙且つ繊細なカワハギへの針掛り確率が高くて軽快で俊敏な両天秤仕掛けを提供する。
【課題を解決するための手段】
【０００６】
請求項１記載の可動天秤仕掛は、静止時は錘荷重に耐え得る剛性を有し、合わせ操作時は容易に縦方向への一時的変形を成す範囲の弾性を有する弾性鋼線からなる細線を、山型の両天秤状となして最上部に道糸接続用のラインフックＡ１とする輪を形成し、左右に伸ばした両椀天秤アームＡの先端に、可動リングＢ２用のストッパーＣを固定し針フックＡ２を施した両天秤アームＡに相対して、弾性鋼線によるＶ字形状の最下部を錘連結用の輪と成しアンカーフックＢ１とし、両端にコイル状の輪を成して天秤アームＡとの連結用とする可動リングＢ２を備え、所定の広角を有するＶ字アンカーアームＢを、天秤アームＡの中間部に可動リングＢ２によって可動自在に連結し吊り下げて可動天秤仕掛けとする。図１参照
【０００７】
請求項２に記載するように、両天秤アームＡの形状を最上部のＡ１より先端のＡ２方向に反り上がる弧を有する所定の湾曲形状とし、仕掛け静止時の両天秤アームＡ先端の針フックＡ２が、錘の垂直方向に対してほぼ水平の真横位置を確保している状態とすることにより、合わせ操作時の天秤アームＡが可動リングＢ２を経てスライドする際（先端の針フックＡ２がストッパーＣに到達する間）は、針フックＡ２に接続された針Ｅがその形状を保った状態で、針先方向である横方向へ瞬間移動することになる。  
又、天秤アームＡが所定の弧を有する湾曲形状であることにより、仕掛けを停止させてアタリ待ちのノーマル静止状態へ戻した場合、吊り下げ支点となるラインフックＡ１の輪と湾曲した弾性鋼線の特性とが相まって原型への復元力が高まり、Ｖ字アンカーアームＢの可動リングＢ２を経て速やかにアンカーＧを引き上げ、セット状態への仕掛け復元作動がスムーズに完了する。  図２参照
【０００８】
天秤アームＡと可動リングＢ２との連結部において、合わせ操作時に弾性鋼線素材による反動で、Ｖ字アンカーアームＢがアンカーＧと共に上部方向へ跳ね上がり回転し、仕掛けに絡む不具合を阻止する為、可動リングＢ２の首部に所定の角度をもって曲げ加工を施し、天秤アームＡへ可動自在に連結をすることで、跳ね上がり反動によるＶ字アンカーアームＢの回転範囲が制限され、仕掛けとの絡みによる不具合が解消されると共に、可動リングＢ２と天秤アームＡとのスライド作動が円滑に行われる。  
【０００９】
本可動天秤仕掛けを海底へ落として棚を取った直後に任意の範囲まで引き上げ、ゆっくり上下させながらアタリを待つことになるが、アタリに対する合わせ操作時は、ラインＨに連動する天秤アームＡが可動リングＢ２を経てスライドし、可動リングＢ２にストッパーＣが達して天秤アームＡのスライドが停止した後、弾性鋼線からなる天秤アームＡとＶ字アンカーアームＢとが縦方向へ一時的形状変化を成すと同時に、従来の天秤仕掛け同様に錘と仕掛け全体が引き上げられ始める。
その合わせ操作時のラインＨによる上方向Ｔへの引き上げ開始瞬間（天秤アームＡがスライドして可動リングＢ２にストッパーＣが到達する間）には、アンカーＧはその錘自重により一瞬の停止状態にあって、合わせ操作に伴うラインへの錘負荷は無視できる範囲で無いに等しい。よって、針フックＡ２にセットされた釣り針は天秤アームＡの瞬時作動時に、針先方向である横に向って直線的な瞬間移動をなし、繊細で軽敏な合わせが実現する。図２参照
【発明の効果】
【００１０】
本発明の可動天秤仕掛け（図４）と従来の銅付き仕掛け及び片天秤仕掛け（図５、６）との対比においても明確なように、合わせ操作の瞬時においてはラインに係る錘負荷が無く、縦方向の合わせ操作に対し針先方向である横方向へ瞬時移動を成す針掛りの機敏性と軽快さは、その特性により従来の様々な釣り仕掛けに変わって多くの転用アイテムを生み出すことが予想される。
又、針先方向へ直線横移動する理想的な合わせが実現することにより、食いが渋く警戒心の強い不利な条件下であっても、軽快な合わせによる針掛りの確率が飛躍的に高くなり、軽敏な竿を使っての素早い軽合わせが可能となり、巧妙且つ繊細な魚との駆け引きの楽しみが倍増する。
【００１１】
天秤アームＡの先端に行くにつれて反り上がる湾曲形状と、自在可動する可動リングＢ２の構造により、仕掛け静止時に僅かな穂先の上下操作が、天秤アームＡ先端部の針フックＡ２が左右への出入りを繰り返し、横方向への微妙な誘いを演出して警戒心を薄め活性を刺激することになり、釣り人の個性的な攻め技がゲーム性を高める結果となることに加え、下述するように仕掛けを構成する鋼線の径（剛性）によっては、錘荷重の大小を問わず基本機能は如何なる場合も同様に発揮され、条件によって異なる様々なタックルへの挑戦が楽しめる。図４、参照  
【発明を実施するための最良の形態】
【００１２】
ステンレス鋼線を構成素材とした本可動天秤仕掛け試作品による実試行の結果から、その構成に係る各寸法基準を、天秤アームＡ最上部Ａ１の基点角を約９０〜１００°の広角とし、Ｖ字アンカーアームＢ最下部Ｂ１の基点広角を約６０°、天秤アームＡ片腕の長さを約８，５〜１０センチ、Ｖ字状アンカーアームＢ片腕の長さを約４〜５センチとし、両天秤全体幅を約１５〜１７センチとする形状構成に基づく各線径別の適正錘荷重は、海水中の錘自重が「合わせ操作時に瞬時の停止状態を保ち得る自重を有すること」と「仕掛け静止状態時に天秤アームＡの復元反発力によって引き上げられ得る自重であること」を条件に次の通りとなる。
例１、線径０，５ミリ、天秤アームＡ８，５センチ時の適正錘荷重は３〜４号。
例２、線径０，６ミリ、天秤アームＡ８，５センチ時の適正錘荷重は５〜７号。
例３、線径０，７ミリ、天秤アームＡ８，５センチ時の適正錘荷重は８〜１０号。
例４、線径０，８ミリ、天秤アームＡ１０センチ時の適正錘荷重は１５〜２０号。
例５、線径１，０ミリ、天秤アームＡ１０センチ時の適正錘荷重は２５〜３０号。
（例４、５は良好な剛性反発力を発揮する長さを約１０センチ程度とする。）
上記形状基準による合わせ操作時の錘負荷を受けない瞬時の針移動距離は、何れの場合も真横針先方向に約４〜５センチであり、針掛りに要する瞬時針移動の範囲として十分な作動距離を確保している。
【００１３】
試行の成果から標準設定を例２とした場合、例１を凪の浅場用とし、例３を潮流時の予備として備え、或いは例４と例６を深場の大物用として加える等、各地各海域の諸条件に応じた自在設定が可能となる。
尚、本可動天秤仕掛けは、構成する素材鋼性の線径及び天秤アームＡの長さによって、その適正錘荷重の範囲設定が可能であり、様々な条件下で同様の機能を発揮する。
【図面の簡単な説明】
【００１４】
【図１】全体イメージ図
【図２】全体機能可動図
【図３】可動リングのイメージ図
【図４】本仕掛の針可動図
【図５】通常天秤の針可動図
【図６】従来銅付き仕掛け可動図
【符号の説明】
【００１５】
Ａ    天秤アーム
Ａ１  最上部ラインフック
Ａ２  針フック
Ｂ    Ｖ字アンカーアーム
Ｂ１  最下部アンカーフック
Ｂ２  可動リング
Ｃ    ストッパー
Ｈ    ライン
Ｇ    アンカー
Ｇ１  合わせ時のアンカー移動動位置
Ｅ    釣り針
Ｅ１  合わせ時の釣り針移動位置
Ｔ    合わせ時の可動方向
【要約】 
【課題】
軽快な合わせで瞬時に針掛りする可動天秤仕掛けを提供する。
【解決手段】
弾性鋼質のステン細線を山型の両天秤形状とし、その両端を針フックＡ２とする山型の天秤アームＡに相対して、最下部に錘接続用のアンカーフックＢ１を有するＶ字アンカーアームＢを、可動リングＢ２によって天秤アームＡの中間部に可動自在に連結し、その可動リングＢ２によって天秤アームＡが自在にスライドして錘の負荷を受けず、針フックＡ２に繋がる針Ｅが瞬時に針先方向へ俊敏な横移動をなし、カワハギの巧妙且つ繊細なアタリに機敏に反応し軽快で理想的な針掛りを実現する。
【選択図】  図１【図１】
0004098825.tif 000002
【図２】
0004098825.tif 000003
【図３】
0004098825.tif 000004
【図４】
0004098825.tif 000005
【図５】
0004098825.tif 000006
【図６】
0004098825.tif 000007